(57)【要約】      （修正有）【課題】座位伏臥姿勢で、整体やマッサージなどの施術を受けながら手足の温浴に浸れる施術台を提供する。【解決手段】施術台Ａの架台１は、床面に設置されるベース１ａの前端に立設された椅子２と、ベース１ａの後端に立設された伸縮自在ポール３と、該伸縮自在ポール３の上部に設けた下盤体４及び上盤体５と、前記下盤体４の角度調節するフック金具６と、前記下盤体４の揺動により前記上盤体５を一体に揺動させる伸縮バー７と、前記伸縮自在ポール３の上部左右に設けた手用浴槽１０が着脱自在に配設される筒金８と、前記ベース１ａの左右に設けた足用浴槽１１が着脱自在に配置される受金９とから構成される。【選択図】図４
0003130666.tif 000002
【実用新案登録請求の範囲】
【請求項１】
平面視エ字形のベースの前後に前ポールと後ポールが立設され、前ポールの上端にシートを設けて椅子が形成され、後ポールの上部に嵌挿されて上下調節自在に位置決めされる伸縮自在ポールを設け、該伸縮自在ポールの上端には胸当て台が揺動自在に接合され、該胸当て台の後端で蝶番を介して揺動自在に接合される頭部伏せ台が前記伸縮自在ポールに対して姿勢変更自在に係着されてなる施術台において、
前記平面視エ字形のベースには、中央の縦骨を挟んで左右に張設した下枠体に足用浴槽が着脱自在に配設され、前記後ポールの伸縮自在ポールには、平面視逆凹状の座盤上で上枠体が接合され、該上枠体に手用浴槽が着脱自在に配設されてなることを特徴とする施術台。
【考案の詳細な説明】
【技術分野】
【０００１】
本考案は、座位伏臥姿勢で整体やマッサージなどの施術を受けながら手足の温浴に浸れる施術台に関する。
【背景技術】
【０００２】
従来から手足を温浴して発汗作用を促し、新陳代謝の活発化を図る技術として、手足温浴器（特許文献１を参照）や手足温浴装置（特許文献２を参照）及び手足温浴装置（特許文献３を参照）など種々提案されている。
これらは何れも、手浴槽と足浴槽に貯湯タンクから殺菌浄化された温浴を循環系により循環させるものであるが、手足温浴状態で整体マッサージなどに適した姿勢に保持できる架台と組み合わされた技術は提案されていない。
【特許文献１】実開昭６１−１３６７２９号公報
【特許文献２】実開昭６１−１８００３０号公報
【特許文献３】特開２００１−６１９４１号公報
【考案の開示】
【考案が解決しようとする課題】
【０００３】
本考案は上記に鑑みて、座位伏臥姿勢で、整体やマッサージなどの施術を受けながら手足の温浴に浸れる施術台を提供することを目的とする。
【課題を解決するための手段】
【０００４】
上記課題を達成するため、本考案の施術台は、平面視エ字形のベースの前後に前ポールと後ポールが立設され、前ポールの上端にシートを設けて椅子が形成され、後ポールの上部に嵌挿されて上下調節自在に位置決めされる伸縮自在ポールを設け、該伸縮自在ポールの上端には胸当て台が揺動自在に接合され、該胸当て台の後端で蝶番を介して揺動自在に接合される頭部伏せ台が前記伸縮自在ポールに対して姿勢変更自在に係着されてなる施術台において、
前記平面視エ字形のベースには、中央の縦骨を挟んで左右に張設した下枠体に足用浴槽が着脱自在に配設され、前記後ポールの伸縮自在ポールには、平面視逆凹状の座盤上で上枠体が接合され、該上枠体に手用浴槽が着脱自在に配設されてなるものである。
【考案の効果】
【０００５】
本考案の施術台は、座位伏臥姿勢での整体やマッサージ施術が、手足の温浴に浸らせながら行えるものであるから、発汗作用と血液循環の活発化によって整体、マッサージ効果が倍増され、被施術者に対して極めてそう快なリラクゼーション効能がもたらされる。
本考案の施術台は、座って前方にもたれ掛る楽な姿勢で整体などの施術を受けながら、手足温浴に浸れるから、心身共にリフレッシュするなど健康増進に寄与するものであり、健康器具業界や施術台や椅子、ベッドなどの医療器具業界の活性化に資するほか、健康サロンや一般家庭向きとしてもその利便性の優れた点でその需要が期待される。
【考案を実施するための最良の形態】
【０００６】
本考案の施術台Ａの一実施例を図面に基づいて、以下に説明する。
本考案の施術台Ａの架台１は、図１の右側面図に示すように、床面に設置されるベース１ａの前端に立設された椅子２と、ベース１ａの後端に立設された伸縮自在ポール３と、該伸縮自在ポール３の上部に設けた下盤体４及び上盤体５と、前記下盤体４の角度調節するフック金具６と、前記下盤体４の揺動により前記上盤体５を一体に揺動させる伸縮バー７と、前記伸縮自在ポール３の上部左右に設けた手用浴槽１０が着脱自在に配設される筒金８と、前記ベース１ａの左右に設けた足用浴槽１１が着脱自在に配置される受金９とから構成される。
なお、図１において、左側を前端、右側を後端として説明している。
図２の平面図に示すように、床面に設置されるベース１ａは、所定長さの直線状の縦骨１ａａと該縦骨１ａａの前後端に直交され下面両端部に滑り止め座１ａｃを設けて前記縦骨１ａａに接合される横骨１ａｂとから構成され、平面視エ字形となる。
【０００７】
図１に示すように、前記ベース１ａの前端の横骨１ａｂに立設される角筒材の前ポール１ｃを設け、前記前ポール１ｃは固定式で、前記前ポール１ｃの上端に接合した座盤２ａに円形のシート２ｂが固着されて椅子２が形成される。
また、前記ベース１ａの後端の縦骨１ａａに立設される角筒状の後ポール１ｂを設け、前記後ポール１ｂには６段階で高さ調節のできる小角柱材の伸縮自在部としての伸縮自在ポール３が嵌挿されてストッパー３ａを介して押しネジ軸を有するハンドル３ｂで位置決め固定される。
さらに、前記伸縮自在ポール３の上端部には、平面視逆台形状の下盤体４の後端部裏面に垂下した二股状の受金４ａを正面から見て左右へ水平な支軸４ｅで上下揺動自在に軸支し、前記下盤体４の後端には平面視正方形状で所要スペース分中抜きの上盤体５の前端を蝶番４ｂで上下揺動自在に接合する。
前記下盤体４には細長板状のフック金具６の一端が揺動自在に接合され、前記フック金具６の下側面には９段に刻設された溝６ａを設け、該溝６ａが伸縮自在ポール３に横向きで植設されたピン３ｃに係着される。
そして、前記下盤体４の表面には胸当て台として伏臥状態のからだを支えるクッション性のあるバスト４ｄが接合される。
【０００８】
一方、前記上盤体５の後端部裏面に垂下した受金５ａはラチェット式に段階的に伸縮自在な伸縮バー７の一端が回動自在に接合され、前記伸縮バー７の他端が伸縮自在ポール３に固定した受金３ｄに回動自在に接合される。
また、フェースタオルとして使用するロールペーパーの係着手段として、前記上盤体５の中央部表面には後倒し状のＬ字形の受け棒５ｂの垂直部下端が接合され、裏面一端部（正面から見て右端部）にはＬ字形の係着棒５ｃがその垂直部上端で接合され、他端部側方には後端が開閉される挟み具（図外）がその前端において接合され、上盤体５の表面には左右２列に所要間隔で縦設されるかまぼこ状の棒マット５ｅと両者間に嵌挿される小マクラ（図示省略）から成る頭部伏せ台としてのヘッド５ｄが配設されてなる。
【０００９】
図３に示すように、後ポール１ｂに嵌挿されて所要高さに位置決めされる伸縮自在ポール３には、所要丈の角筒状の筒金８が外嵌され、上下調節自在に押しネジ軸を有する二方向のハンドル８ａで位置決めされる。
前記筒金８の前面と左右側面に所要寸法で水平に張り出した角棒状の受座８ｂの上面には、図２に示す座盤８ｃが接合され、平面視逆凹状で全幅７５０ｍｍ、奥行５２０ｍｍ、左右の袖幅２００ｍｍ、中央部の奥行１８０ｍｍにして、該中央部の内端と筒金８の前面間の寸法を３０ｍｍとして座盤８ｃが接合される。
前記座盤８ｃの表面には、左右の袖部（奥行５２０ｍｍ、袖幅２００ｍｍ）において、その輪郭に沿ってそれぞれアングル材による縦材と横材からなる縦長矩形の上枠体８ｄが並設され、さらに、中央部の前後には水平辺を内方に対向して接合した各アングル材の左右端を各袖部の上枠体８ｄのそれぞれの縦材に接合してなる。
さらに、前記ベース１ａには中央に山高部を形成した全長（左右幅方向の長さ）５５０ｍｍの３本の受金９が中央の縦骨１ａａの奥行方向の前後と中間の３個所に配設され、その山高部において縦骨１ａａにビスで接合される。
さらに、これらの受金９の上面にはその左右において、アングル材による縦材と横材からなる縦長矩形（奥行４００ｍｍ、幅２００ｍｍ）の下枠体９ａが並設され、各下枠体９ａの縦材と横材の水平辺の内周縁には座盤９ｂが内設されてなる。
【００１０】
このようにしてなる架台１の各上枠体８ｄには、図３に示すように、長さ５００ｍｍ、幅１８０ｍｍ、高さ２００ｍｍの合成樹脂製の手用浴槽１０が着脱自在に配設され、下方の各下枠体９ａには長さ３８０ｍｍの合成樹脂製の足用浴槽１１が着脱自在に配置される。
本考案の施術台Ａにおける手用浴槽１０は、合成樹脂製にして左右各独立した浴槽又は平面視逆凹状に左右が連通した浴槽で提供され、その場合には全幅７３０ｍｍ、奥行５００ｍｍ、左右の袖幅１８０ｍｍ、中央部の奥行１６０ｍｍ、高さ２００ｍｍが目安とされる。
前記手用浴槽１０を支持する上枠体８ｄは、単に前ポール１ｂの伸縮自在ポール３に上下調節自在に位置決めされるものから、床面又はベース１ａからの支持体に上下調節自在に支持されるものも考慮される。
また、本考案の施術台Ａにおける足用浴槽１１は、合成樹脂製にして手用浴槽１０と同様に、左右各独立した浴槽又は平面視凹状に左右が連通した浴槽も選択され、その場合全幅５３０ｍｍ、奥行３８０ｍｍ、左右の各幅１８０ｍｍ、手前中央部奥行１８０ｍｍ、高さ３００ｍｍが目安となる。
なお、手用浴槽１０と足用浴槽１１が左右各個に独立して給湯の循環系に接続される場合には、左右の手用浴槽１０の相互間及び、左右の足用浴槽１１の相互間は、それぞれ接続金具を介して連通ホースで連通される。
なお、手用浴槽１０及び足用浴槽１１の寸法は一例としてのものであり、これに限定するものではなく、使用する温湯の量や循環状態によって適宜に選択されるものであり、当然に上枠体８ｄ、下枠体９ａの各寸法も適宜に変更され得るものである。
このほか、手用浴槽１０、足用浴槽１１が左右個別のものに代えて左右が連通した浴槽としても提供されるほか、適宜な取手を設けたものでも供されることは勿論である。
【００１１】
次に、本考案の施術台Ａの操作動作を図面に基づいて、以下に説明する。
図４に示すように、バスト４ｄ及びヘッド５ｄがそれぞれフック金具６と伸縮バー７を介して伸縮自在ポール３に対して適宜な姿勢に調節されて位置決めされる。
前記ヘッド５ｄにおいては仮想線で示すように、係着棒５ｃに挿し込んで係着したロールペーパーを一方の棒マット５ｅの表面から中央の受け棒５ｂの下面をくぐらせて他方の棒マット５ｅの表面に被せ、その端を図外の挟み具に挟着させる。
そして、上部の両側に配設される手用浴槽１０と下部の両側の足用浴槽１１に温湯が張られて使用に供される。
図５に示すように、給湯の循環系の一例としては、左側の手用浴槽１０から給湯されて右側の手用浴槽１０に連通ホース１２で連通され、さらに右側の足用浴槽１１に給湯され、そして左側の足用浴槽１１に連通ホース１２で連通され、吸引ポンプ１３で回収されてろ過殺菌浄化されて貯湯タンク１４に貯湯される。
【００１２】
つぎに、図４に仮想線で示すように被施術者Ｈは、椅子２に腰掛け、バスト４ｄに寄り掛かり頭部顔面をヘッド５ｄに伏せて、両手をそれぞれの手用浴槽１０に入れ、両足をそれぞれの足用浴槽１１に入れて温浴に浸りながらリラクゼーション効能とともに、頭、首、肩、背中、腰など身体の整体、マッサージなどの施術を受けることができる。
また、図５に示すように、炭酸水が矢印１５で示すように給水されて適温に加温され、適宜なタイミングで給湯ポンプ１６によって手用浴槽１０に循環されることにより、被施術者Ｈは炭酸泉に浸りながら身も心もリフレッシュできる。
【図面の簡単な説明】
【００１３】
【図１】本考案の施術台Ａの右方の上枠体８ｄを切除した状態の右側面図である。
【図２】本考案の施術台Ａのヘッド５ｄとバスト４ｄを取り除いた状態の平面図である。
【図３】本考案の施術台Ａの正面図である。
【図４】施術台Ａの使用状態の説明図である。
【図５】給湯の循環系の一例を示す説明図である。
【符号の説明】
【００１４】
１  架台
１ａ  ベース
１ａａ  縦骨
１ａｂ  横骨
１ａｃ  滑り止め座
１ｂ  後ポール
１ｃ  前ポール
２  椅子
２ａ  座盤
２ｂ  シート
３  伸縮自在ポール
３ａ  ストッパー
３ｂ  ハンドル
３ｃ  ピン
３ｄ  受金
４  下盤体
４ａ  受金
４ｂ  蝶番
４ｃ  受金
４ｄ  バスト
４ｅ  支軸
５  上盤体
５ａ  受金
５ｂ  受け棒
５ｃ  係着棒
５ｄ  ヘッド
５ｅ  棒マット
６  フック金具
６ａ  溝
７  伸縮バー
８  筒金
８ａ  ハンドル
８ｂ  受座
８ｃ  座盤
８ｄ  上枠体
９  受金
９ａ  下枠体
９ｂ  座盤
１０  手用浴槽
１１  足用浴槽
１２  連通ホース
１３  吸引ポンプ
１４  貯湯タンク
１５  炭酸水
１６  給湯ポンプ
【図１】
0003130666.tif 000003
【図２】
0003130666.tif 000004
【図３】
0003130666.tif 000005
【図４】
0003130666.tif 000006
【図５】
0003130666.tif 000007